(57)【要約】      （修正有）【課題】よりノイズ低減に有効な位置に磁性体コアを位置決め可能な電力変換装置及びノイズフィルタを提供する。【解決手段】電力変換装置１は、ノイズフィルタ３２０を備える。ノイズフィルタ３２０は、バスバ３１０と、バスバ３１０を囲むように配置される磁性体コア３２１と、磁性体コア３２１を支持し、バスバ３１０に固定されるコア固定部材３２２と、を備える。バスバ３１０は、開口又は突起を有し、固定部材３２２は開口又は突起に対して位置決めされるとともにバスバ３１０を固定するための端子Ｔ１に固定される。【選択図】図４
2017098384.tif 000002
【特許請求の範囲】
【請求項１】
バスバと、
前記バスバを囲むように配置される磁性体コアと、
前記磁性体コアを支持し、前記バスバに固定される固定部材と、を備える電力変換装置。
【請求項２】
前記バスバは、開口又は突起を有し、
前記固定部材は、前記開口又は突起に対して位置決めされる、請求項１記載の電力変換装置。
【請求項３】
前記固定部材は、前記バスバを固定するための端子に前記バスバと共に締結される、請求項１又は２記載の電力変換装置。
【請求項４】
前記バスバの前記開口又は突起は、前記バスバを端子に固定するための締結部材が通される第一開口を含み、
前記固定部材は、前記締結部材により前記バスバと共に前記端子に固定され、前記第一開口に対して位置決めされる、請求項２記載の電力変換装置。
【請求項５】
前記固定部材は、前記バスバに交差する方向に当該バスバから取り外し可能である、請求項１〜４のいずれか一項記載の電力変換装置。
【請求項６】
前記バスバの前記開口又は突起は第二開口を含み、
前記固定部材は、前記第二開口の開口方向に並ぶ複数部品に分割可能であり、当該複数部品に分割された場合に、前記バスバに交差する方向に取り外し可能となるように構成されており、当該複数部品の少なくとも一つは、前記第二開口に嵌合する突起を有し、前記第二開口に対して位置決めされる、請求項２記載の電力変換装置。
【請求項７】
前記固定部材は、前記バスバに沿う方向に並ぶ複数部品に分割可能であり、当該複数部品に分割された場合に、前記バスバに交差する方向に取り外し可能となるように構成されている、請求項５記載の電力変換装置。
【請求項８】
前記バスバの前記開口又は突起は第三開口を含み、
前記固定部材は、前記バスバに沿う方向に並ぶ複数部品に分割可能であり、当該複数部品に分割された場合に、前記バスバに交差する方向に取り外し可能となるように構成されており、前記第三開口に挿入される締結部材により前記バスバに固定され、前記第三開口に対して位置決めされる、請求項２記載の電力変換装置。
【請求項９】
前記固定部材は、互いに同一形状であり、前記バスバに沿う方向又は前記バスバに交差する方向から見て互いに点対称となるように配置された二部品に分割可能である、請求項５〜８のいずれか一項記載の電力変換装置。
【請求項１０】
前記固定部材は、前記磁性体コアを外周側から拘束する、請求項１〜９のいずれか一項記載の電力変換装置。
【請求項１１】
前記固定部材は、前記磁性体コアを内周側から拘束する、請求項１〜１０のいずれか一項記載の電力変換装置。
【請求項１２】
前記固定部材は、前記磁性体コアの内周側に配置され、複数のバスバ同士を互いに離れた状態に保つセパレータを含む、請求項１１記載の電力変換装置。
【請求項１３】
前記磁性体コアは、第一磁性体コア及び第二磁性体コアを含み、
前記固定部材は、前記第一磁性体コア及び前記第二磁性体コアにそれぞれ対応する第一固定部材及び第二固定部材を含み、
前記第一固定部材は、前記バスバを固定するための端子に前記バスバと共に締結され、
前記第二固定部材は、前記バスバに交差する方向に当該バスバから取り外し可能である、請求項１記載の電力変換装置。
【請求項１４】
電力変換装置のバスバを囲むように配置される磁性体コアと、
前記磁性体コアを支持し、前記バスバに固定される固定部材と、を備えるノイズフィルタ。
【発明の詳細な説明】
【技術分野】
【０００１】
本開示は、電力変換装置及びノイズフィルタに関する。
【背景技術】
【０００２】
特許文献１には、ケーブルを貫通させる磁性体コアを有するノイズ吸収装置が開示されている。
【先行技術文献】
【特許文献】
【０００３】
【特許文献１】特開２００８−１９２６６６号公報
【発明の概要】
【発明が解決しようとする課題】
【０００４】
本開示は、よりノイズ低減に有効な位置に磁性体コアを位置決め可能な電力変換装置及びノイズフィルタを提供することを目的とする。
【課題を解決するための手段】
【０００５】
本開示に係る電力変換装置は、バスバと、バスバを囲むように配置される磁性体コアと、磁性体コアを支持し、バスバに固定される固定部材と、を備える。
【０００６】
本開示に係るノイズフィルタは、電力変換装置のバスバを囲むように配置される磁性体コアと、磁性体コアを支持し、バスバに固定される固定部材と、を備える。
【発明の効果】
【０００７】
本開示によれば、よりノイズ低減に有効な位置に磁性体コアを位置決め可能な電力変換装置及びノイズフィルタを提供することができる。
【図面の簡単な説明】
【０００８】
【図１】電力変換装置の斜視図である。
【図２】電力変換装置の分解斜視図である。
【図３】電力変換装置の別方向からの斜視図である。
【図４】ノイズフィルタの斜視図である。
【図５】図４のノイズフィルタの分解斜視図である。
【図６】ノイズフィルタの変形例を示す斜視図である。
【図７】図６のノイズフィルタの分解斜視図である。
【図８】ノイズフィルタの他の変形例を示す斜視図である。
【図９】図８のノイズフィルタの分解斜視図である。
【発明を実施するための形態】
【０００９】
以下、実施形態について、図面を参照しつつ詳細に説明する。説明において、同一要素又は同一機能を有する要素には同一の符号を付し、重複する説明を省略する。
【００１０】
本実施形態に係る電力変換装置１は、交流電力（例えば商用の三相交流電力）又は直流電力を所望の周波数の交流電力（例えば三相交流電力）に変換して出力するものである。電力変換装置１は、例えば産業機器の制御システムに利用される。
【００１１】
１．電力変換装置の全体構成
まず、図１〜図３を参照し、電力変換装置１の具体的構成を例示する。以下の説明において、「上下」は、標準的な設置状態における上下を意味する。「前後左右」は、操作パネル（後述）側を前側とし、その逆側を後側とした方向を意味する。図示においては、Ｚ軸正方向が上方であり、Ｘ軸正方向が前方である。
【００１２】
電力変換装置１は、電力変換用の回路基板５を内蔵する本体２を有する。本体２は、互いに隣接する第一部分３及び第二部分４を有してもよく、回路基板５は第二部分４内に収容されていてもよい。第一部分３は、回路基板５の回路素子を冷却するために用いられてもよい。
【００１３】
より具体的に、本体２は筐体１０を有する。筐体１０は、回路基板５が配置される第一空間Ｓ１と、冷却用の流体の流路ＦＰ１を含む第二空間Ｓ２とを内部に有する。例えば筐体１０は、図２に示すように、ベース筐体２０と、第一カバー５０と、第二カバー６０とを有する。
【００１４】
ベース筐体２０は、後方に開放される第一部分３０と、前方に開放される第二部分４０とを有する。第一部分３０及び第二部分４０の間は隔壁２１により仕切られている（図３参照）。第二部分４０には、隔壁２１に対向するように回路基板５が設置される。回路基板５の下部には、入力出力用の電線を接続するためのターミナル５ｃが設けられている。
【００１５】
第一カバー５０は、前方から第二部分４０に装着され、ターミナル５ｃを開放した状態で回路基板５を覆う。第一カバー５０は、第二部分４０と協働して上記第一空間Ｓ１を形成する。
【００１６】
第二カバー６０は、前方から第一カバー５０に装着され、第一カバー５０及びターミナル５ｃを覆う。第二部分４０と、第一カバー５０と、第二カバー６０とによって、本体２の第二部分４が構成される。第二カバー６０の前面は、操作パネルとして用いられる。例えば、第二カバー６０の前面には、オペレータ６が配置される。
【００１７】
オペレータ６は、電力変換装置１のユーザによる入力を受け付け、電力変換装置１の内部情報を表示する。オペレータ６は第二カバー６０の前面に対して着脱自在であってもよい。
【００１８】
図３に示すように、第一部分３０は、内部に上記第二空間Ｓ２を形成する。第一空間Ｓ１及び第二空間Ｓ２は、隔壁２１により仕切られる。隔壁２１に開口が形成される場合、その開口は第二空間Ｓ２に属するものとする。すなわち、隔壁２１の前面が第一空間Ｓ１及び第二空間Ｓ２の境界である。
【００１９】
上述した流路ＦＰ１は、例えば次のように構成される。第一部分３０の下部には、通気口３２が形成され、第一部分３０の上部には少なくとも一つ（例えば二つ）のファン７０が取り付けられる。ファン７０が上方又は下方に空気を送ることで、第二空間Ｓ２内には、上下方向に沿う気流が形成される。この気流をなす空気が上記冷却用の流体の一例であり、当該空気の流路が流路ＦＰ１の一例である。第一部分３０によって、本体２の第一部分３が構成される。
【００２０】
第一部分３は、冷却フィン７を有してもよい。冷却フィン７は、例えば回路基板５の回路素子（例えばスイッチング素子）が生じた熱を放熱する。冷却フィン７は、第一部分３０内の第二空間Ｓ２において、流路ＦＰ１に配置されてもよい。
【００２１】
２．ノイズフィルタ
（１）バスバ
図４〜図９に示すように、電力変換装置１は、少なくとも一つのバスバ３１０を備えてもよい。バスバ３１０は、板状又は棒状の導体である。十分な導電性を確保するために、バスバ３１０は、加工のための意図的な応力を加えない限り変形しない程度の大きさの断面を有する。
【００２２】
バスバ３１０は、本体２内において入力電力及び出力電力の伝送等に用いられる。例えば、バスバ３１０は、回路基板５上の整流回路と、回路基板５のターミナル５ｃとを接続してもよい。この場合、バスバ３１０の一端部は、回路基板５上の整流回路の入力端子に固定され、バスバ３１０の他端部は、ターミナル５ｃの入力ポートに導通する端子に固定される。バスバ３１０は、回路基板５上のスイッチング回路と、回路基板５のターミナル５ｃとを接続してもよい。この場合、バスバ３１０の一端部は、回路基板５上のスイッチング回路の出力端子に固定され、バスバ３１０の他端部は、ターミナル５ｃの出力ポートに導通する端子に固定される。電力変換装置１が複数の回路基板５を有する場合に、バスバ３１０は、回路基板５同士を接続してもよい。この場合、バスバ３１０の一端部は、一つの回路基板５の端子に固定され、バスバ３１０の他端部は、他の回路基板５の端子に固定される。バスバ３１０は、後述のノイズフィルタ３２０の位置決め用に開口又は突起を有してもよい。
【００２３】
（２）ノイズフィルタ
電力変換装置１は、ノイズフィルタ３２０を備えてもよい。ノイズフィルタ３２０は、バスバ３１０により伝送される電力に起因するノイズを抑制する。ノイズフィルタ３２０は、磁性体コア３２１と、コア保持部材（固定部材）３２２とを有する。
【００２４】
磁性体コア３２１は、バスバ３１０を囲むように配置される。例えば磁性体コア３２１は、環状のフェライトコアである。磁性体コア３２１は、バスバ３１０を通る電流の急変動を抑制し、バスバ３１０から放出されるノイズを抑制する。「環状」とは、バスバ３１０を囲む周方向において閉じていることを意味するに過ぎず、その形は円環形状に限られない。磁性体コア３２１は、楕円状の環形状であってもよいし、長円状の環形状であってもよいし、多角の環形状であってもよい。
【００２５】
コア保持部材３２２は、磁性体コア３２１を支持し、バスバ３１０に固定される。すなわちコア保持部材３２２は、バスバ３１０に対して磁性体コア３２１を固定する手段として機能する。コア保持部材３２２は、バスバ３１０の開口又は突起に対して位置決めされてもよい。以下、コア保持部材３２２の具体的な構成例を説明する。
【００２６】
コア保持部材３２２は、バスバ３１０を固定するための端子にバスバ３１０と共に締結されるように構成されていてもよい。その一例として図４及び図５に示すコア保持部材３３０は、バスバ３１０を固定するための端子Ｔ１にバスバ３１０と共に締結される。
【００２７】
上述したバスバ３１０の開口又は突起は、開口３１１（第一開口）を含んでもよい。例えば開口３１１は、バスバ３１０の端部に設けられている。開口３１１には、バスバ３１０の端部を端子Ｔ１に固定するための締結部材３３６が通される。締結部材３３６は、例えばビスである。
【００２８】
図示の例において、磁性体コア３２１は、三相交流を出力するための三本のバスバ３１０に装着される。幅方向に並ぶ三本の板状のバスバ３１０を囲むために、磁性体コア３２１は長円状の環形状を有している。
【００２９】
コア保持部材３３０は、締結部材３３６によりバスバ３１０と共に端子Ｔ１に固定され、開口３１１に対して位置決めされる。より具体的に、コア保持部材３３０は、ホルダ３３１と、フランジ３３２と、複数（例えば３箇所）の延出部３３５とを有する。ホルダ３３１は筒状体であり、磁性体コア３２１を内周側から拘束する。磁性体コア３２１の形状に対応し、ホルダ３３１は長円状の断面形状を有する。
【００３０】
フランジ３３２は、ホルダ３３１の一端部に設けられており、ホルダ３３１の外周に張り出している。三つの延出部３３５は、ホルダ３３１の断面形状が延びる方向に並び、それぞれフランジ３３２からホルダ３３１の逆側に突出している。
【００３１】
三つの延出部３３５は、フランジ３３２の逆側からホルダ３３１内に通された三本のバスバ３１０の端部がそれぞれ重なる。それぞれの延出部３３５には、開口３１１に対応する開口３３５ａが設けられている。開口３３５ａは、延出部３３５を貫通する。開口３３５ａは、フランジ３３２の逆側に開放されていてもよい。
【００３２】
バスバ３１０の端部が延出部３３５に重なった状態で、締結部材３３６が開口３１１及び開口３３５ａに通され、端子Ｔ１に締結される。これにより、コア保持部材３３０が、開口３１１に対して位置決めされた状態でバスバ３１０に固定される。
【００３３】
なお、コア保持部材３３０は、ホルダ３３１から磁性体コア３２１が外れることを防止する少なくとも一つの爪部３３３を有してもよい。図示のコア保持部材３３０は、三つの爪部３３３を有している。
【００３４】
コア保持部材３３０は、磁性体コア３２１の内周側に配置され、複数のバスバ３１０同士を互いに離れた状態に保つセパレータ３３４を更に有してもよい。例えばセパレータ３３４は、ホルダ３３１内に設けられた複数の隔壁３３４ａを含む。複数の隔壁３３４ａは、ホルダ３３１内を複数のスロットに区画する。複数のスロットには、複数のバスバ３１０がそれぞれ挿入される。ホルダ３３１は、磁性体コア３２１を外周側から拘束するように構成されていてもよい。
【００３５】
コア保持部材３２２は、バスバ３１０に交差する方向に取り外し可能であってもよい。なお、コア保持部材３２２を取り外すとは、バスバ３１０の周囲から除去することを意味する。
【００３６】
一例として図６及び図７に示すコア保持部材３４０は、バスバ３１０に交差する方向（図示の軸線ＣＬ１に交差する方向）に並ぶ複数（例えば二つ）の部品３４１に分割可能である。それぞれの部品３４１は、半環状であり、磁性体コア３２１を外周側から拘束する。二つの部品３４１は、互いに組み合わさった状態で環状となり、バスバ３１０を全周に亘って囲む。二つの部品３４１が互いに分離すると、バスバ３１０の包囲が解かれるので、これらをバスバ３１０に交差する方向に取り外すことが可能となる。二つの部品３４１は、互いに同一形状であってもよく、バスバ３１０に沿う方向（図示の軸線ＣＬ１に沿う方向）から見て互いに点対称となるように配置されていてもよい。
【００３７】
バスバ３１０を囲む周方向における部品３４１の一端部には、爪３４２が設けられ、他端部には爪３４２に対応する凹部３４３が形成されている。二つの部品３４１を点対称に配置することで、一方の部品３４１の爪３４２と他方の部品３４１の凹部３４３とが同じ側に配置される。一方の部品３４１の爪３４２を他方の部品３４１の凹部３４３に引っ掛けることで、二つの部品３４１が連結される。
【００３８】
バスバ３１０の上記開口又は突起は、開口３１２（第二開口）を含んでもよい。開口３１２は、バスバ３１０の端部を端子に締結するための開口３１１に比較してバスバ３１０の両端から離れた位置に設けられていてもよい。二つの部品３４１は、開口３１２の開口方向（図示の軸線ＣＬ２に沿う方向）に並んでいてもよく、少なくとも一方が開口３１２に嵌合する突起３４５を有してもよい。
【００３９】
図８及び図９に示すコア保持部材３５０は、バスバ３１０に沿う方向（図示の軸線ＣＬ３に沿う方向）に並ぶ複数（例えば二つ）の部品３５１に分割可能である。図示の例において、磁性体コア３２１は、厚さ方向に並ぶ二本又は三本の板状のバスバ３１０を囲む。
【００４０】
二つの部品３５１は、互いに組み合わさった状態で環状となり、バスバ３１０を全周に亘って囲む。二つの部品３５１が互いに分離すると、バスバ３１０の包囲が解かれるので、これらをバスバ３１０に交差する方向に取り外すことが可能となる。このように、コア保持部材３５０がバスバ３１０に沿う方向に並ぶ複数の部品３５１に分割可能である場合、部品３５１を磁性体コア３２１に装着する方向もバスバ３１０に沿うこととなる。すなわち、部品３５１は、磁性体コア３２１が開口する方向から当該磁性体コア３２１に装着されることとなる。このため、部品３５１の少なくとも一部を磁性体コア３２１の内周及び外周のいずれにも配置可能である。
【００４１】
具体的に、部品３５１は、内側ホルダ３５３と、外側ホルダ３５４と、フランジ３５２とを有する。内側ホルダ３５３は、半筒状体であり、磁性体コア３２１を内側から拘束する。外側ホルダ３５４も半筒状体であり、磁性体コア３２１を外側から拘束する。フランジ３５２は、内側ホルダ３５３及び外側ホルダ３５４の一端側において、これらの間を塞いでいる。
【００４２】
二つの部品３５１は、互いに同一形状であってもよく、バスバ３１０に交差する方向（図示の軸線ＣＬ４に沿う方向）から見て互いに点対称となるように配置されていてもよい。二つの部品３５１をこのように配置することで、内側ホルダ３５３同士が組み合わさって磁性体コア３２１内で筒状となり、外側ホルダ３５４同士が組み合わさって磁性体コア３２１外で筒状となり、磁性体コア３２１が内周側及び外周側から拘束される。更に、磁性体コア３２１は、バスバ３１０に沿う方向においてフランジ３５２同士の間に挟まれる。
【００４３】
バスバ３１０の上記開口又は突起は、開口３１３（第三開口）を含んでもよい。開口３１３は、バスバ３１０の端部を端子に締結するための開口３１１に比べてバスバ３１０の両端から離れた位置に設けられていてもよい。開口３１３は、二つの部品３５１にそれぞれ対応する二箇所に形成されていてもよい。
【００４４】
コア保持部材３５０は、磁性体コア３２１の内周側に配置され、複数のバスバ同士を互いに離れた状態に保つセパレータ３５５を更に有してもよい。例えばセパレータ３５５は、内側ホルダ３５３内に設けられた複数（例えば三つ）のガイド３５６を含む。複数のガイド３５６は、バスバ３１０の厚さ方向に並び、それぞれバスバ３１０に沿って延びている。ガイド３５６は、バスバ３１０を収容するスロット３５６ａを有する。スロット３５６ａは、内側ホルダ３５３の逆側に開放されている。上述したように二つの部品３５１が組み合わさると、ガイド３５６同士が対向し、バスバ３１０がスロット３５６ａ内に拘束される。
【００４５】
コア保持部材３５０は、開口３１３に挿入される締結部材３５８によりバスバ３１０に固定され、開口３１３に対して位置決めされてもよい。締結部材３５８は、例えばビスである。
【００４６】
一例として、部品３５１のガイド３５６は、フランジ３５２から内側ホルダ３５３の逆側に延出している。内側ホルダ３５３の逆側において、ガイド３５６には、開口３１３に対応する開口３５６ｂが設けられている。開口３５６ｂは、ガイド３５６を貫通する。開口３５６ｂは、フランジ３５２の逆側に開放されていてもよい。締結部材３５８は、開口３５６ｂに通されて開口３１３にねじ込まれる。これにより、それぞれの部品３５１がバスバ３１０に固定され、開口３１３に対して位置決めされる。
【００４７】
なお、コア保持部材３５０は、磁性体コア３２１を外周側からは拘束しないように構成されていてもよい。
【００４８】
バスバ３１０に交差する方向にコア保持部材３２２を取り外し可能とする構成は、必ずしも複数部品に分割する構成に限られない。環状のコア保持部材３２２の一部が切り欠かれていれば、バスバ３１０に交差する方向に取り外し可能となる。
【００４９】
バスバ３１０の開口３１１，３１２，３１３は、必ずしも貫通孔である必要はなく、有底の凹部又は溝部であってもよい。開口３１１，３１２，３１３に代えてバスバ３１０に突起を設け、当該突起に対してコア保持部材３２２を位置決めしてもよい。バスバ３１０の突起は、例えば棒状部材の削り出しにより形成可能である。また、板状部材の折り曲げによっても形成可能である。
【００５０】
以上に示した複数種類のコア保持部材３２２を併用することも可能である。例えば磁性体コア３２１は、第一磁性体コア３２１及び第二磁性体コア３２１を含み、コア保持部材３２２は、第一磁性体コア３２１及び第二磁性体コア３２１にそれぞれ対応する第一コア保持部材３２２及び第二コア保持部材３２２を含んでもよい。例えば第一磁性体コア３２１は、バスバ３１０の端部近傍に配置され、第二磁性体コア３２１は、第一磁性体コア３２１に比べて３１０の端部から離れた位置に配置される。
【００５１】
第一コア保持部材３２２は、コア保持部材３３０として例示したように、バスバ３１０を固定するための端子Ｔ１にバスバ３１０と共に締結される。第二コア保持部材３２２は、コア保持部材３４０，３５０として例示したように、バスバ３１０に交差する方向に当該バスバ３１０ら取り外し可能である。
【００５２】
３．本実施形態の効果
以上に説明したように、電力変換装置１は、バスバ３１０と、バスバ３１０を囲むように配置される磁性体コア３２１と、磁性体コア３２１を支持し、バスバ３１０に固定されるコア保持部材３２２と、を備える。
【００５３】
電力変換装置１では、コア保持部材３２２により、磁性体コア３２１をバスバ３１０に対して固定できる。大電流が流れるバスバ３１０の周囲に磁性体コア３２１を配置することで、より効果的にノイズを低減させることが期待される。
【００５４】
バスバ３１０は、開口３１１〜３１３又は突起を有し、コア保持部材３２２は、開口３１１〜３１３又は突起に対して位置決めされていてもよい。この場合、開口３１１〜３１３又は突起により磁性体コア３２１が定位置に配置されるので、磁性体コア３２１によるフィルタ性能をより安定化させることができる。
【００５５】
コア保持部材３２２は、バスバ３１０を固定するための端子Ｔ１にバスバ３１０と共に締結されてもよい。この場合、バスバ３１０を締結するための部材（例えばボルト）をコア保持部材３２２の固定にも利用することで、電力変換装置１の部品数の削減を図り、組み立て工程の簡素化を図ることができる。
【００５６】
バスバ３１０の開口３１１〜３１３又は突起は、バスバ３１０を端子Ｔ１に固定するための締結部材３３６が通される第一開口３１１を含み、コア保持部材３２２は、締結部材３３６によりバスバ３１０と共に端子Ｔ１に固定され、第一開口３１１に対して位置決めされてもよい。この場合、磁性体コア３２１をより確実に位置決めし、固定することができる。
【００５７】
コア保持部材３２２は、バスバ３１０に交差する方向に当該バスバ３１０から取り外し可能であってもよい。この場合、バスバ３１０が固定された状態においてもコア保持部材３２２を着脱できる。このため、バスバ３１０の固定に先立って予めコア保持部材３２２にバスバ３１０を通しておく必要がない。従って、組み立て性に優れる。
【００５８】
バスバ３１０の開口３１１〜３１３又は突起は第二開口３１２を含み、コア保持部材３２２は、第二開口３１２の開口方向に並ぶ複数部品３４１に分割可能であり、当該複数部品３４１に分割された場合に、バスバ３１０に交差する方向に取り外し可能となるように構成されており、当該複数部品３４１の少なくとも一つは、第二開口３１２に嵌合する突起３４５を有し、第二開口３１２に対して位置決めされてもよい。この場合、コア保持部材３２２が有する突起３４５と、バスバ３１０が有する第二開口３１２との嵌合により、締結部材を使わずに磁性体コア３２１を位置決めできる。したがって、構造の単純化及び組み立て性向上が可能となる。
【００５９】
コア保持部材３２２は、バスバ３１０に沿う方向に並ぶ複数部品３５１に分割可能であり、当該複数部品３５１に分割された場合に、バスバ３１０に交差する方向に取り外し可能となるように構成されていてもよい。この場合、設計自由度が高まる。例えば、二部品３５１，３５１に分割する構成においても、磁性体コア３２１を内周側から拘束するようにコア保持部材３２２を構成することが可能である。磁性体コア３２１を内外周の両側から拘束するようにコア保持部材３２２を構成することも可能である。
【００６０】
バスバ３１０の開口３１１〜３１３又は突起は第三開口３１３を含み、コア保持部材３２２は、バスバ３１０に沿う方向に並ぶ複数部品３５１に分割可能であり、当該複数部品３５１に分割された場合に、バスバ３１０に交差する方向に取り外し可能となるように構成されており、第三開口３１３に挿入される締結部材３５８によりバスバ３１０に固定され、第三開口３１３に対して位置決めされてもよい。この場合、コア保持部材３２２をバスバ３１０に装着する際には、上記複数部品３５１をバスバ３１０に沿ってスライドさせる必要があるので、コア保持部材３２２自体をバスバ３１０に嵌合させ難い。これに対し、締結部材３５８を用いることで、装着後のコア保持部材３２２をより確実にバスバ３１０に位置決めし、固定することができる。
【００６１】
コア保持部材３２２は、互いに同一形状であり、バスバ３１０に沿う方向又はバスバ３１０に交差する方向から見て互いに点対称となるように配置された二部品に分割可能であってもよい。この場合、部品の種類数を削減できる。
【００６２】
コア保持部材３２２は、磁性体コア３２１を外周側から拘束してもよい。この場合、磁性体コア３２１とその周辺の部材との接触をより確実に防止できる。
【００６３】
コア保持部材３２２は、磁性体コア３２１を内周側から拘束してもよい。この場合、磁性体コア３２１とバスバ３１０との接触をより確実に防止できる。
【００６４】
コア保持部材３２２は、磁性体コア３２１の内周側に配置され、複数のバスバ３１０同士を互いに離れた状態に保つセパレータ３５５を含んでもよい。この場合、コア保持部材３２２の内周側を有効活用し、単純な構造にてバスバ３１０同士の間の電気的な絶縁を確保することができる。
【符号の説明】
【００６５】
１…電力変換装置、３１０…バスバ、３１１…開口（第一開口）、３１２…開口（第二開口）、３１３…開口（第三開口）、３２０…ノイズフィルタ、３２１…磁性体コア（第一磁性体コア、第二磁性体コア）、３２２…コア保持部材（固定部材）、３３４…セパレータ、３３６…締結部材、３４１…部品、３４５…突起、３５１…部品、３５５…セパレータ、３５８…締結部材、Ｔ１…端子。
【図１】
2017098384.tif 000003
【図２】
2017098384.tif 000004
【図３】
2017098384.tif 000005
【図４】
2017098384.tif 000006
【図５】
2017098384.tif 000007
【図６】
2017098384.tif 000008
【図７】
2017098384.tif 000009
【図８】
2017098384.tif 000010
【図９】
2017098384.tif 000011